(57)【要約】【課題】  従来のリフロー炉では、フラックスを含むソルダペーストが用いられており、リフロー加熱時にフラックスを含む有機物が発生し、リフロー炉からは、排気ブロワを介して有害な有機物を含む空気を外部へ排出しているため、環境上好ましくない。また、炉外に排気される雰囲気の通路となる連結管内にはフラックス等が付着し、これに引火して火災になり易い欠点があった。【解決手段】  本発明のリフロー炉は、ワーク通路に高温雰囲気を吹き出す雰囲気吹き出し口と、雰囲気吸引ダクトと、上記各雰囲気吸引ダクトによって吸引せしめた雰囲気を排気管を介して集め、上記雰囲気吹き出し口に循環せしめるための雰囲気循環用ブロワと、上記排気管に介挿したフラックス除去用ダクトと、このフラックス除去用ダクトの冷却手段とより成る。上記雰囲気循環用ブロワが、熱風と冷却風及びこれらの混合雰囲気を作り得る。【選択図】  図１
2005150672.tif 000002
【特許請求の範囲】
【請求項１】
ワーク通路に高温雰囲気を吹き出す雰囲気吹き出し口と、雰囲気吸引ダクトと、上記各雰囲気吸引ダクトによって吸引せしめた雰囲気を排気管を介して集め、上記雰囲気吹き出し口に循環せしめるための雰囲気循環用ブロワと、上記排気管に介挿したフラックス除去用ダクトと、このフラックス除去用ダクトの冷却手段とより成ることを特徴とするリフロー炉。
【請求項２】
上記雰囲気循環用ブロワが、熱風と冷却風及びこれらの混合雰囲気を作り得ることを特徴とする請求項１記載のリフロー炉。
【発明の詳細な説明】
【技術分野】
【０００１】
本発明はリフロー炉、特に、孔基板のハンダ付孔用リフロー炉に関するものである。
【背景技術】
【０００２】
リフローハンダ付けのためワークに熱風や冷風を加えて温度制御するリフロー炉は知られている（特許文献１）。
【特許文献１】特開平８−２９３６６６号公報（図１）
【０００３】
図３は従来の他のリフリー炉を示し、１はリフロー炉外筐、２はワーク搬送ベルト、３〜６はワークの進行方向に沿って順次に形成した第１予熱区域、第２予熱区域、リフロー部、冷却部、７は上記各区域３〜５において互いに隣接して配置した複数の雰囲気吹き出し口、８は上記区域３〜５の上流側と下流側に配置した雰囲気吸引ダクト、９はこの両雰囲気吸引ダクト８，８間を連結する排気管、１０は排気ブロワ、１１はこの排気管９と排気ブロワ１０間を連結する連結管である。
【０００４】
このような従来のリフロー炉においては排気管９に集められ第１，第２予熱区域３，４及びリフロー部５に雰囲気吹き出し口７から吹き出す雰囲気は加熱手段（図示せず）によって加熱し、循環手段（図示せず）を介して上記雰囲気噴き出し口７から吹き出すようにしている。
【０００５】
この場合加熱された雰囲気は膨脹し、高圧となってリフロー炉外筐１に形成されたワーク搬送ベルト２用の開口１２を介して外部に熱風が吹き出ることになるためこれを防ぐため排気ブロワ１０によって上記開口１２から外部空気を引き込み、排気ブロワ１０の開口１３からリフロー炉１内の雰囲気の一部を常時外筐１外に排気するようにしている。
【発明の開示】
【発明が解決しようとする課題】
【０００６】
然しながら、このようなリフロー炉においては、フラックスを含むソルダペーストが用いられており、リフロー加熱時にフラックスを含む有機物が発生し、リフロー炉からは排気ブロワ１０を介して有害な有機物を含む空気を外部へ排出しているため、環境上、好ましくない。
【０００７】
また、炉外に排気される雰囲気の通路となる連結管１１内にはフラックス等が付着し、これに引火して火災になり易い欠点があった。
【０００８】
本発明はこのような欠点を除くようにしたものである。
【課題を解決するための手段】
【０００９】
本発明のリフロー炉は、ワーク通路に高温雰囲気を吹き出す雰囲気吹き出し口と、雰囲気吸引ダクトと、上記各雰囲気吸引ダクトによって吸引せしめた雰囲気を排気管を介して集め、上記雰囲気吹き出し口に循環せしめるための雰囲気循環用ブロワと、上記排気管に介挿したフラックス除去用ダクトと、このフラックス除去用ダクトの冷却手段とより成ることを特徴とする。
【００１０】
上記雰囲気循環用ブロワは、熱風と冷却風及びこれらの混合雰囲気を作り得ることを特徴とする。
【発明の効果】
【００１１】
本発明のリフロー炉によれば、有害なフラックス等の有機物が炉外に排出されることはなく、また、フラックスが配管内に堆積して火災のもとになることもない。また、炉外への排気配管を用いないため室温上昇も生じない。
【発明を実施するための最良の形態】
【００１２】
以下図面によって本発明の実施例を説明する。
【実施例１】
【００１３】
本発明においては図１に示すように従来の排気ブロワ１０とこれに対する連結管１１を用いず排気管９をフラックス除去用ダクト１４及び冷気導入ダクト１９を介して雰囲気循環用ブロワ１５に接続して雰囲気をリフロー炉外筐１内で循環せしめると共に、上記フラックス除去用ダクト１４をラジエータ等の冷却手段（図示せず）によって例えば１９０℃〜１６０℃の雰囲気を８０℃〜７０℃迄冷却してフラックス等を気化状態から液化または固化せしめ、これを上記フラックス除去用ダクト１４に設けたネット等の濾過手段（図示せず）を介して濾過せしめ、このようにしてクリーンとされた雰囲気を炉外に排気することなくリフロー炉外筐１内で上記循環用ブロワ１５を介して循環せしめる。
【実施例２】
【００１４】
本発明の他の実施例においては図２に示すように雰囲気吹き出し口７に対し熱風雰囲気を吹き出すため熱風ダクト１６の上流側に冷気導入口１７とヒーター１８を設け、必要に応じて雰囲気吹き出し口７から熱風と冷気を混合した任意の温度の風を吹き出し得るようにする。なお、２０は冷気導入ダクト１９に介挿した冷気導入バルブである。
【００１５】
本発明のこの実施例によればワークが熱風によって加熱処理された後冷却風によってワークを例えば２４０℃から直ちに１２０℃に冷却できるようになるので鉛フリーハンダを用いた場合でもきれいなハンダ付が得られるようになる。
【００１６】
上記のように本発明のリフロー炉によれば有害なフラックス等の有機物を炉外に排出することなく、また、フラックスが配管内に堆積して火災のもとになることもない。また、炉外への排気配管を用いないため室温上昇も生じない。
【図面の簡単な説明】
【００１７】
【図１】本発明のリフロー炉の正面図である。
【図２】本発明のリフロー炉の他の実施例の要部の拡大側面図である。
【図３】従来のリフロー炉の正面図である。
【符号の説明】
【００１８】
１  リフロー炉外筐
２  ワーク搬送ベルト
３  予熱区域
４  予熱区域
５  リフロー部
６  冷却部
７  雰囲気吹き出し口
８  雰囲気吸引ダクト
９  排気管
１０  排気ブロワ
１１  連結管
１２  開口
１３  開口
１４  フラックス除去用ダクト
１５  雰囲気循環用ブロワ
１６  熱風ダクト
１７  冷気導入口
１８  ヒーター
１９  冷気導入ダクト
２０  冷気導入バルブ
【図１】
2005150672.tif 000003
【図２】
2005150672.tif 000004
【図３】
2005150672.tif 000005
【手続補正書】
【提出日】平成16年11月25日(2004.11.25)
【手続補正１】
【補正対象書類名】明細書
【補正対象項目名】００１５
【補正方法】変更
【補正の内容】
【００１５】
本発明のこの実施例によればワークが熱風によって加熱処理された後冷却風によってワークを例えば２４０℃から直ちに１２０℃に冷却できるようになるので鉛フリーハンダを用いた場合でもきれいなハンダ付が得られるようになる。なお、炉内に外部の有害物質が入り込み、また、炉内のフラックスが再び炉内に入り込むおそれがあるため上記冷気導入口１７と、上記熱風ダクト１６の上流側に対する炉内雰囲気の導入口に触媒フィルターを設けてこれらを除去せしめるのが好ましい。